(57)【特許請求の範囲】
【請求項１】
記録媒体を搬送する搬送手段を備え、装置本体に位置決めされた状態で固定されるとともに、該固定を解除することで前記装置本体から引出可能に設けられた引出部材と、
前記引出部材の引出方向側の壁部に、該引出部材の下面から下方へ突出するように取り付けられ、該引出部材を前記装置本体に対して位置決めするための位置決め部材と、
物流時には前記引出部材の引出方向側の壁部と前記装置本体の壁部とに取り付けられ、設置時には前記引出部材の引出方向側の壁部に、該引出部材の下面から下方へ突出するとともに前記装置本体の壁部に対して前記引出方向側に位置するように取り付けられる固定部材と、
を有することを特徴とする画像形成装置。
【請求項２】
前記固定部材は、前記引出部材の引出方向と交差する方向における中央を境に、前記位置決め部材とは反対側に取り付けられることを特徴とする請求項１に記載の画像形成装置。
【請求項３】
前記固定部材は、設置時において、前記装置本体における前記壁部との間に間隙が形成されるように取り付けられることを特徴とする請求項１又は請求項２に記載の画像形成装置。
【請求項４】
前記固定部材は、
平面視「コ」字状に形成された本体部と、
前記本体部の側壁上部に形成され、該本体部の開放方向へ延在する突出部と、
前記突出部に形成され、前記本体部の外側方向へ延在する鍔部と、
を有し、
物流時には、前記本体部が前記引出部材における前記壁部と前記装置本体における前記壁部とに取り付けられ、
設置時には、前記本体部が反転されて前記鍔部が前記引出部材における前記壁部に取り付けられ、前記突出部により、前記本体部の側壁下部と前記装置本体における前記壁部との間に間隙が形成されることを特徴とする請求項３に記載の画像形成装置。
【発明の詳細な説明】
【技術分野】
【０００１】
本発明は、画像形成装置に関する。
【背景技術】
【０００２】
転写ユニット、搬送ユニット、定着ユニット等が装置本体から引出可能に設けられた画像形成装置は、従来から知られている（例えば、特許文献１参照）。
【先行技術文献】
【特許文献】
【０００３】
【特許文献１】特開２００２−２５１１１８号公報
【発明の概要】
【発明が解決しようとする課題】
【０００４】
本発明は、装置本体から引出可能に設けられた引出部材が、その装置本体から取り外されて床面等に置かれたときに、その引出部材の下面から下方へ突出している１つの部品に荷重が集中しないようにできる画像形成装置を得ることを目的とする。
【課題を解決するための手段】
【０００５】
上記の目的を達成するために、本発明に係る請求項１に記載の画像形成装置は、記録媒体を搬送する搬送手段を備え、装置本体に位置決めされた状態で固定されるとともに、該固定を解除することで前記装置本体から引出可能に設けられた引出部材と、前記引出部材の引出方向側の壁部に、該引出部材の下面から下方へ突出するように取り付けられ、該引出部材を前記装置本体に対して位置決めするための位置決め部材と、物流時には前記引出部材の引出方向側の壁部と前記装置本体の壁部とに取り付けられ、設置時には前記引出部材の引出方向側の壁部に、該引出部材の下面から下方へ突出するとともに前記装置本体の壁部に対して前記引出方向側に位置するように取り付けられる固定部材と、を有することを特徴としている。
【０００６】
また、請求項２に記載の画像形成装置は、請求項１に記載の画像形成装置において、前記固定部材が、前記引出部材の引出方向と交差する方向における中央を境に、前記位置決め部材とは反対側に取り付けられることを特徴としている。
【０００７】
また、請求項３に記載の画像形成装置は、請求項１又は請求項２に記載の画像形成装置において、前記固定部材が、設置時において、前記装置本体における前記壁部との間に間隙が形成されるように取り付けられることを特徴としている。
【０００８】
また、請求項４に記載の画像形成装置は、請求項３に記載の画像形成装置において、前記固定部材が、平面視「コ」字状に形成された本体部と、前記本体部の側壁上部に形成され、該本体部の開放方向へ延在する突出部と、前記突出部に形成され、前記本体部の外側方向へ延在する鍔部と、を有し、物流時には、前記本体部が前記引出部材における前記壁部と前記装置本体における前記壁部とに取り付けられ、設置時には、前記本体部が反転されて前記鍔部が前記引出部材における前記壁部に取り付けられ、前記突出部により、前記本体部の側壁下部と前記装置本体における前記壁部との間に間隙が形成されることを特徴としている。
【発明の効果】
【０００９】
請求項１に記載の発明によれば、装置本体から引出可能に設けられた引出部材が、その装置本体から取り外されて床面等に置かれたときに、その引出部材の下面から下方へ突出している位置決め部材と固定部材とに荷重を分散させることができる。
【００１０】
請求項２に記載の発明によれば、固定部材が、引出部材の引出方向と交差する方向における中央を境に、位置決め部材と同じ側に取り付けられる構成に比べて、位置決め部材と固定部材とに荷重を良好に分散させることができる。
【００１１】
請求項３に記載の発明によれば、固定部材が引出部材の装置本体に対する位置決めを妨げないようにできる。
【００１２】
請求項４に記載の発明によれば、簡易な構成で固定部材が引出部材の装置本体に対する位置決めを妨げないようにできる。
【図面の簡単な説明】
【００１３】
【図１】本実施形態に係る画像形成装置の全体を示す概略構成図
【図２】本実施形態に係る画像形成装置の画像形成部を示す概略側面図
【図３】本実施形態に係る設置時における引出部材及び搬送部を示す概略斜視図
【図４】本実施形態に係る物流時における引出部材及び搬送部を示す概略斜視図
【図５】本実施形態に係る引出部材を位置決めするリンク機構を示す概略斜視図
【図６】（Ａ）本実施形態に係る物流時における引出部材の取付構造を示す概略側断面図、（Ｂ）本実施形態に係る設置時における引出部材の取付構造を示す概略側断面図
【図７】本実施形態に係る引出部材を床面等に置いたときの状態を示す概略斜視図
【図８】本実施形態に係る引出部材を示す概略斜視図
【図９】本実施形態に係る搬送部の位置決め前の構成を示す概略斜視図
【図１０】本実施形態に係る搬送部の位置決め後の構成を示す概略斜視図
【図１１】本実施形態に係る搬送部の位置決め時におけるアシスト手段の構成を示す概略分解斜視図
【図１２】本実施形態に係る搬送部の位置決め時におけるアシスト手段を示す概略斜視図
【図１３】本実施形態に係る引出部材のハンドルを分解して示す概略斜視図
【図１４】本実施形態に係る引出部材のハンドルを示す概略斜視図
【発明を実施するための形態】
【００１４】
以下、本発明に係る実施の形態について、図面に示す実施例を基に詳細に説明する。なお、説明の便宜上、矢印ＵＰを上方向、矢印ＲＩを右方向、矢印ＦＲを前方向とし、各図において、上記各矢印が示されている場合には、その矢印で示す方向に従って上下・左右・前後の表現をする。また、以下において、シート状部材である記録媒体の搬送方向上流側及び搬送方向下流側を、単に「上流側」、「下流側」という場合がある。
【００１５】
図１で示すように、本実施形態に係る画像形成装置１０は、記録媒体の一例としての記録用紙Ｐにトナー画像を二次転写して搬送する工程までとされる第１処理部１２と、第１処理部１２から搬送されて来た記録用紙Ｐにトナー画像を定着する工程以降の処理を行う第２処理部１４と、が一体的に（記録用紙Ｐを受け渡し可能に）左右横方向（水平方向）に連結されて構成されている。
【００１６】
第１処理部１２は、装置本体の一例としての第１筐体１１内に組み込まれ、第２処理部１４は、第１筐体１１と着脱可能とされた第２筐体１３内に組み込まれている。そして、第１筐体１１に隣接する第２筐体１３上には、制御部１６が組み込まれた第３筐体１５が配設されており、その第３筐体１５の横（下流側）の第２筐体１３上には、表示装置１８が配設されている。
【００１７】
第１処理部１２には、記録用紙Ｐを収容する給紙部２０と、記録用紙Ｐを搬送する搬送手段の一例としてのユニット化された搬送部（搬送ユニット）１２０と、記録用紙Ｐにトナー画像を転写する転写部１００と、転写部１００に一次転写させるトナー画像を形成する画像形成部３０と、が備えられている。具体的に説明すると、まず、第１筐体１１内の下部には、記録用紙Ｐがそれぞれ収容される２個の給紙カセット２２が左右横方向に並んで設けられている。
【００１８】
この給紙カセット２２は、第１筐体１１内から前方側へ引出可能とされており、給紙カセット２２を第１筐体１１内から引き出すと、給紙カセット２２内に設けられたボトムプレート２４が下降し、その上に記録用紙Ｐを載せることで、記録用紙Ｐの補充ができるようになっている。なお、給紙カセット２２を第１筐体１１内に取り付けると、ボトムプレート２４は上昇する構成になっている。
【００１９】
各給紙カセット２２の上方には、第１筐体１１内から前方側へ引出可能とされた引出部材１４０（図３、図４、図７、図８参照）に収容された搬送部１２０が配設されている。そして、その搬送部１２０（引出部材１４０）の上方には転写部１００が配設され、その転写部１００の上方には画像形成部３０が配設されている。なお、画像形成部３０、転写部１００、搬送部１２０、引出部材１４０については後で詳述する。また、第１筐体１１の第２筐体１３と対向する右壁面１１Ａには、記録用紙Ｐを上部から搬出し、下部から搬入させる開口部２６が形成されている。
【００２０】
第２処理部１４には、転写部１００によって記録用紙Ｐに二次転写されたトナー画像を、その記録用紙Ｐに定着するための定着部５０と、定着部５０によってトナー画像が定着された記録用紙Ｐを冷却するための冷却部６０と、両面印刷時に、記録用紙Ｐを反転させて、再度第１処理部１２へ搬送するための反転部８０と、が備えられている。
【００２１】
すなわち、第１筐体１１の右壁面１１Ａと対向する第２筐体１３の左壁面１３Ｂには、記録用紙Ｐを上部から搬入し、下部から搬出させる開口部２８が、開口部２６と対向して形成されており、その上側の開口部２８を通って搬送されて来た記録用紙Ｐに対してトナー画像を定着可能なように定着部５０が配設されている。
【００２２】
この定着部５０は、回転駆動する加熱ロール５２と従動回転する張架ロール５４とに巻き掛けられた定着ベルト５６と、その定着ベルト５６に圧接配置された加圧ロール５８とで構成されている。そして、この定着部５０は、定着ベルト５６を外側から押圧して、その周回経路を規定する張架ロール５５と、加熱ロール５２と張架ロール５４との間の定着ベルト５６を内側から押圧して、その定着ベルト５６の姿勢を矯正する姿勢矯正ロール５３と、を備えている。なお、加熱ロール５２及び張架ロール５４、５５の内部には、加熱手段としてハロゲンヒーター（図示省略）が設けられており、定着ベルト５６を、その内面側から加熱するようになっている。
【００２３】
また、定着部５０の横（下流側）には冷却部６０が配設されている。この冷却部６０は、記録用紙Ｐの搬送経路１２２（後述）を挟んで上側に、記録用紙Ｐと接触して、その熱を吸収する吸収装置７０が設けられ、下側に、搬送される記録用紙Ｐを吸収装置７０に押し付ける押付装置６２が設けられて構成されている。
【００２４】
吸収装置７０は、駆動力を伝達する駆動ロール７２と複数個の張架ロール７３に巻き掛けられた無端状の吸収ベルト７４を有しており、その吸収ベルト７４の内側には、吸収ベルト７４と面状に接触して、吸収ベルト７４が吸収した熱を放熱させるヒートシンク７６を有している。そして、ヒートシンク７６から熱を奪い、その熱気を外部へ排出させる吸込ファン７８が、第２筐体１３の後壁部側（図示の奥側）に２個並んで設けられている。
【００２５】
また、押付装置６２は、搬送される記録用紙Ｐと接触して、吸収装置７０へ押し付ける無端状の押付ベルト６４を有しており、その押付ベルト６４は複数個の張架ロール６５に張架されて回転可能に支持されている。このような構成の冷却部６０により、定着部５０から搬送されて来た記録用紙Ｐが冷却されるようになっている。
【００２６】
また、冷却部６０の横（下流側）には、記録用紙Ｐのカールを矯正する（記録用紙Ｐを平坦にする）デカール処理部６６が配設されている。そして、そのデカール処理部６６の横（下流側）には、記録用紙Ｐに定着されたトナー画像の濃度欠陥、画像欠陥、画像位置欠陥等を光学的に検出するインラインセンサー部６８が配設されている。
【００２７】
なお、インラインセンサー部６８の横（下流側）には、片面に画像が形成された記録用紙Ｐを第２筐体１３の右壁面１３Ａに取り付けられた排出部（排出トレイ）９０に排出する排出ロール９２が設けられており、片面印刷時には、その排出ロール９２によって記録用紙Ｐが排出部９０上へ排出されるようになっている。
【００２８】
また、定着部５０、冷却部６０、デカール処理部６６、インラインセンサー部６８の下方には、反転部８０が配設されている。すなわち、記録用紙Ｐの両面に画像を形成する際には、インラインセンサー部６８から送出された記録用紙Ｐを反転部８０へ搬送する。詳細には、その記録用紙Ｐを、図示しない切替部材によって、反転部８０に設けられた反転経路８２へ導く。
【００２９】
反転経路８２は、第２処理部１４における搬送経路１２２（後述）から分岐する分岐パス８４と、分岐パス８４に沿って搬送される記録用紙Ｐを第１処理部１２側へ向けて搬送する用紙搬送パス８６と、用紙搬送パス８６に沿って搬送される記録用紙Ｐを逆方向へ向けて折り返し、スイッチバック搬送して表裏を反転させる反転パス８８と、を備えている。
【００３０】
この構成により、反転パス８８によってスイッチバック搬送された記録用紙Ｐは、下側の開口部２８及び開口部２６を通って第１処理部１２内へ向けて搬送され、更に搬送部１２０における搬送経路１２２へ送出されて、後述する二次転写ロール１１０とバックアップロール１１２との狭持部である転写ポイントＴへ再度送り込まれるようになっている。
【００３１】
なお、第１筐体１１の左壁面１１Ｂには、その左壁面１１Ｂに隣接して外付けされる大容量の給紙カセット（図示省略）から記録用紙Ｐを供給できるようにするための供給部９４が設けられている。また、制御部１６には、図示しないコンピューター等から送られてくる画像データに処理を施す画像信号処理部９６と、各部へ電力を供給する電源部９８と、が備えられている。
【００３２】
次に、画像形成部３０について説明する。本実施形態に係る画像形成装置１０には、第１特別色（Ｖ）、第２特別色（Ｗ）、イエロー（Ｙ）、マゼンタ（Ｍ）、シアン（Ｃ）、ブラック（Ｋ）の各トナーを収容するトナーカートリッジ３２Ｖ、３２Ｗ、３２Ｙ、３２Ｍ、３２Ｃ、３２Ｋが左右横方向（水平方向）に並んで交換可能に設けられており、フルカラー画像又は白黒画像を形成可能に構成されている。
【００３３】
なお、第１特別色及び第２特別色には、イエロー、マゼンタ、シアン、ブラック以外の特別色（透明を含む）から適宜選択される。また、以後の説明では、Ｖ、Ｗ、Ｙ、Ｍ、Ｃ、Ｋを区別する場合は、数字の後にＶ、Ｗ、Ｙ、Ｍ、Ｃ、Ｋの何れかの英字を付して説明し、Ｖ、Ｗ、Ｙ、Ｍ、Ｃ、Ｋを区別しない場合は、Ｖ、Ｗ、Ｙ、Ｍ、Ｃ、Ｋを省略する。
【００３４】
トナーカートリッジ３２の下側には、各色のトナーに対応する６つの画像形成ユニット３４が、各トナーカートリッジ３２と対応するように左右横方向（水平方向）に並んで設けられている。そして、各トナーカートリッジ３２と画像形成ユニット３４との間には、露光ユニット４０が設けられている。
【００３５】
画像形成ユニット３４毎に設けられた露光ユニット４０は、上記した画像信号処理部９６によって処理を施された画像データを受け取り、色材階調データに応じて各半導体レーザー（図示省略）を変調し、各半導体レーザーから露光光Ｌを色材階調データに応じて出射するように構成されている。詳細には、後述する感光体３６（図２参照）の表面に各色に対応した露光光Ｌを照射して、その感光体３６上に静電潜像を形成するようになっている。
【００３６】
図２で示すように、画像形成ユニット３４は、矢印Ａ（図示の時計回り）方向に回転駆動される感光体３６を備えている。感光体３６の周囲には、感光体３６を一様に帯電する帯電装置の一例としてのコロナ放電方式（非接触帯電方式）のスコロトロン帯電器３８と、露光ユニット４０によって出射された露光光Ｌにより感光体３６上に形成された静電潜像を各色の現像剤（トナー）で現像する現像装置４２と、転写後の感光体３６の表面をクリーニングするクリーニング装置の一例としてのクリーニングブレード４４と、転写後の感光体３６の表面に光を照射して除電を行う除電装置の一例としてのイレーズランプ４６が設けられている。
【００３７】
なお、スコロトロン帯電器３８、現像装置４２、クリーニングブレード４４、イレーズランプ４６は、感光体３６の表面と対向して、感光体３６の回転方向上流側から下流側へ向けて、この順番で配置されている。
【００３８】
また、現像装置４２は、画像形成ユニット３４の横（図示の右側）に配置され、トナーを含んだ現像剤Ｇが充填された現像剤収容部材４８と、現像剤収容部材４８に充填されたトナーを感光体３６の表面に移動させる現像ロール４９と、を含んで構成されている。そして、現像剤収容部材４８は、トナーカートリッジ３２（図１参照）とトナー供給路（図示省略）を通して接続されており、トナーカートリッジ３２からトナーが供給されるようになっている。
【００３９】
次に、転写部１００について説明する。図１で示すように、各画像形成ユニット３４の下側には、転写部１００が設けられている。この転写部１００は、各感光体３６と接触する無端状の中間転写ベルト１０２と、中間転写ベルト１０２の内側に配置され、各感光体３６上に形成されたトナー画像を中間転写ベルト１０２に多重転写させる６つの一次転写部材としての一次転写ロール１０４と、を含んで構成されている。
【００４０】
更に、この中間転写ベルト１０２は、図示しないモーターで駆動される駆動ロール１０６と、中間転写ベルト１０２の張力を調整する張力付与ロール１０８と、後述する二次転写ロール１１０と対向配置されたバックアップロール１１２と、複数個の張架ロール１１４との間に、一定の張力で巻き掛けられており、駆動ロール１０６により、図１の矢印Ｂ（図示の反時計回り）方向に循環移動されるようになっている。
【００４１】
詳細には、各一次転写ロール１０４は、中間転写ベルト１０２を挟んでそれぞれの各画像形成ユニット３４の感光体３６と対向配置されている。また、一次転写ロール１０４は、給電ユニット（図示省略）によって、トナー極性とは逆極性の転写バイアス電圧が印加されるようになっている。この構成により、感光体３６上に形成されたトナー画像が中間転写ベルト１０２に転写されるようになっている。
【００４２】
一方、駆動ロール１０６の中間転写ベルト１０２を挟んだ反対側には、先端部が中間転写ベルト１０２と接触するクリーニングブレード１１６が設けられおり、このクリーニングブレード１１６は、循環移動する中間転写ベルト１０２上の残留トナーや紙粉等を除去するようになっている。
【００４３】
次に、第１処理部１２における搬送部１２０について説明する。給紙カセット２２の一端側（図示の右側）の上方には、給紙カセット２２から記録用紙Ｐを搬送経路１２２へ送出する送出ロール１１８が設けられており、上昇するボトムプレート２４に載せられた最上位の記録用紙Ｐに送出ロール１１８が接触するようになっている。
【００４４】
送出ロール１１８の下流側には、記録用紙Ｐの重送を防止する一対の分離ロール１２４が設けられており、分離ロール１２４の下流側には、記録用紙Ｐを下流側に搬送する一対の搬送ロール１２６が複数設けられている。
【００４５】
給紙部２０（給紙カセット２２）と転写部１００（中間転写ベルト１０２）との間に設けられる搬送部１２０の搬送経路１２２は、給紙カセット２２から送出された記録用紙Ｐを第１折返部１２２Ａで図示の左方向へ折り返し、更に第２折返部１２２Ｂで図示の右方向へ折り返して二次転写ロール１１０とバックアップロール１１２との挟持部である転写ポイントＴへ向けて送出するようになっている。
【００４６】
第２折返部１２２Ｂと転写ポイントＴとの間には、搬送される記録用紙Ｐの傾き等を矯正するアライナー（図示省略）が設けられており、このアライナーと転写ポイントＴとの間には、中間転写ベルト１０２上のトナー画像の移動タイミングと記録用紙Ｐの搬送タイミングを合わせるための位置合わせロール１２８が設けられている。
【００４７】
また、位置合わせロール１２８の下流側に設けられている二次転写部材としての二次転写ロール１１０は、給電ユニット（図示省略）によって、トナー極性とは逆極性の転写バイアス電圧が印加されるようになっている。この構成により、中間転写ベルト１０２上に多重転写された各色のトナー画像が、二次転写ロール１１０によって、搬送経路１２２に沿って搬送されて来た記録用紙Ｐに二次転写される構成となっている。なお、上記した供給部９４は、搬送経路１２２の第２折返部１２２Ｂへ合流するようになっている。
【００４８】
また、転写ポイントＴの下流側には、トナー画像が転写された記録用紙Ｐを第２処理部１４内へ向けて搬送する複数個のバキューム搬送装置１３０が設けられている。各バキューム搬送装置１３０は、回転駆動する駆動ロール１３２と、回転可能に支持された従動ロール１３４と、駆動ロール１３２と従動ロール１３４に巻き掛けられる複数本のベルト部材１３６と、を備えている。
【００４９】
ベルト部材１３６の表面には、複数個の貫通孔（図示省略）が全面に渡って設けられており、その貫通孔から空気をベルト部材１３６の内側へ吸い込む吸込ファン１３８が、第１筐体１１の後壁部側（図示の奥側）に配置されている。
【００５０】
この構成により、トナー画像が形成されていない記録用紙Ｐの裏面（非画像面）をベルト部材１３６に吸い付け、駆動ロール１３２を回転駆動させてベルト部材１３６を回転させることで、その記録用紙Ｐを更に下流側、即ち第２処理部１４のバキューム搬送装置１３０へ搬送するようになっている。
【００５１】
なお、第２処理部１４のバキューム搬送装置１３０も、第１処理部１２のバキューム搬送装置１３０と同様の構成であり、第２処理部１４における搬送経路１２２は、第１処理部１２の搬送部１２０における搬送経路１２２と連続している。
【００５２】
次に、画像形成工程（作用）について説明する。画像信号処理部９６で画像処理が施された画像データは、各色の色材階調データに変換され、各露光ユニット４０に順次出力される。各露光ユニット４０では、各色の色材階調データに応じて各露光光Ｌを出射し、スコロトロン帯電器３８によって帯電された各感光体３６上に走査露光を行い、静電潜像を形成する。
【００５３】
感光体３６上に形成された静電潜像は、現像装置４２によって、それぞれ第１特別色（Ｖ）、第２特別色（Ｗ）、イエロー（Ｙ）、マゼンタ（Ｍ）、シアン（Ｃ）、ブラック（Ｋ）の各色のトナー画像（現像剤像）として顕在化される（現像される）。
【００５４】
各画像形成ユニット３４Ｖ、３４Ｗ、３４Ｙ、３４Ｍ、３４Ｃ、３４Ｋの各感光体３６上に形成された各色のトナー画像は、６つの一次転写ロール１０４Ｖ、１０４Ｗ、１０４Ｙ、１０４Ｍ、１０４Ｃ、１０４Ｋによって中間転写ベルト１０２上に順次多重転写される。
【００５５】
中間転写ベルト１０２上に多重転写された各色のトナー画像は、二次転写ロール１１０によって、給紙部２０（給紙カセット２２）から搬送されて来た記録用紙Ｐ上に二次転写される。トナー画像が転写された記録用紙Ｐは、バキューム搬送装置１３０によって定着部５０へ搬送される。
【００５６】
定着部５０に搬送された記録用紙Ｐは、その定着部５０において加熱・加圧されることにより、その記録用紙Ｐ上に転写された各色のトナー画像が定着される。そして、各色のトナー画像が定着された記録用紙Ｐは、冷却部６０を通過して冷却された後、デカール処理部６６に送り込まれ、記録用紙Ｐに生じたカールが矯正される。カールが矯正された記録用紙Ｐは、インラインセンサー部６８によって画像欠陥等が検出された後、排出ロール９２によって排出部９０に排出される。
【００５７】
なお、記録用紙Ｐの画像が形成されていない裏面に画像を形成する場合（両面印刷の場合）には、その記録用紙Ｐは、インラインセンサー部６８を通過後に、反転部８０へ送出される。反転部８０へ送出された記録用紙Ｐは、反転経路８２を通過して反転され、再度第１処理部１２へ送り込まれて、上記した手順で、その裏面にトナー画像が形成される。
【００５８】
以上のような構成の画像形成装置１０において、次に搬送部１２０が収容されている引出部材１４０について説明する。図３、図４、図８で示すように、本実施形態に係る引出部材１４０は、第１筐体１１に対して引出可能に構成されている。すなわち、引出部材１４０の長手方向（後述する引出方向と交差する方向）である左右幅方向の両端部１４２は、第１筐体１１に設けられた一対のレール１４８に前後方向にスライド可能に支持されている。
【００５９】
したがって、引出部材１４０の前壁部１４４側で左右幅方向略中央部に設けられているハンドル１５０を把持して引き出すことにより、搬送部１２０を収容したまま、その引出部材１４０を第１筐体１１内から引き出すことが可能となっている。なお、引出部材１４０を引き出すときには、図４で示すように、ハンドル１５０を横方向へ寝かせるよう（以下「ロック解除方向」という）に回転させることで、二次転写ロール１１０をバックアップロール１１２側から離隔させ、引出部材１４０の位置決め固定（ロック）状態を解除する。
【００６０】
すなわち、この引出部材１４０は、第１筐体１１の後壁部側（後方側）へ押し込んで設置した後、図３で示すように、ハンドル１５０を縦方向へ起立させるよう（以下「ロック方向」という）に回転させることで、二次転写ロール１１０を、中間転写ベルト１０２を介してバックアップロール１１２に圧接させ、第１筐体１１に対して位置決めされた状態で固定（ロック）されるようになっている。
【００６１】
具体的に説明すると、図８〜図１０で示すように、ハンドル１５０の基部である取付部１５２Ａ（後述）は、引出部材１４０に前後方向を軸方向として支持された回転軸１８０の前端部に固定されており、その回転軸１８０の前端部側と後端部側には、カム機構２１０を構成する正面視略二等辺三角形状の一対の支持板２１２、２１４の底部が、それぞれ固定されている。
【００６２】
各支持板２１２、２１４は、ハンドル１５０の把持部１５０Ａ（後述）と略同じ方向に延在されるように、回転軸１８０に固定されており、各支持板２１２、２１４の頂点部には、その回転軸１８０と同じ軸方向となるように、カム機構２１０を構成する支持ロール２１６が、それぞれ回転自在に支持されている。
【００６３】
一方、二次転写ロール１１０を支持する支持筐体２２０の前後方向両端部には、支持ロール２１６によって支持される被支持部としてのプレート２１８が、左右幅方向に延在するように取り付けられており、ハンドル１５０のロック方向への回転により、支持ロール２１６によって上方へ向かって押し上げられるようになっている。
【００６４】
つまり、ハンドル１５０がロック解除方向に回転させられているときには、支持ロール２１６がプレート２１８を押し上げることがないので、二次転写ロール１１０及びバキューム搬送装置１３０は、自重により、二次転写ロール１１０がバックアップロール１１２側から離隔する下方位置に配置される（図９参照）。なお、この位置のとき、支持ロール２１６がプレート２１８に対して非接触状態になっていてもよい。
【００６５】
そして、ハンドル１５０がロック方向に回転させられたときには、その回転に伴って支持ロール２１６がプレート２１８を押し上げ、二次転写ロール１１０及びバキューム搬送装置１３０をバックアップロール１１２側に向かって上昇させ（図１０参照）、最終的には、その二次転写ロール１１０を、中間転写ベルト１０２を介してバックアップロール１１２に圧接させるようになっている。
【００６６】
なお、このとき、二次転写ロール１１０等が収容されている支持筐体２２０及びバキューム搬送装置１３０は比較的重たい物であるため、図８で示すように、ハンドル１５０のロック方向への回転操作をアシストするアシスト手段の一例としての圧縮コイルバネ２２２が、バキューム搬送装置１３０側における引出部材１４０の底部１４３の上面で、かつ回転軸１８０（カム機構２１０）に隣接した位置に設けられている。
【００６７】
この圧縮コイルバネ２２２は、二次転写ロール１１０等が収容されている支持筐体２２０及びバキューム搬送装置１３０を常時上方に向かって付勢するようになっており、ハンドル１５０のロック方向への回転により作動するカム機構２１０（支持板２１２、２１４）の回転、即ち支持筐体２２０及びバキューム搬送装置１３０の上昇をアシストするようになっている。
【００６８】
つまり、ハンドル１５０のロック方向への回転操作力だけで、カム機構２１０を介して、支持筐体２２０及びバキューム搬送装置１３０が上昇するように、その回転操作力をアシストするようになっており、これによって、そのハンドル１５０の操作が、圧縮コイルバネ２２２を有していない構成に比べて容易となるようにしている。
【００６９】
なお、この圧縮コイルバネ２２２は、図１１、図１２で示すように、最下端部のリング部２２２Ａと、それより１つ上のリング部２２２Ｂとの間に、引出部材１４０の底部１４３の上面に取り付けられた薄い平板状である取付板２２４を挿入させることで、その引出部材１４０に取り付けられるようになっている。
【００７０】
つまり、この取付板２２４の略中央部には、上方へ向かって略円板状又は略半球状に盛り上がる盛上部２２６が一体に形成されており、この盛上部２２６の外径は、リング部２２２Ｂの内径と同じか、それより若干小さくされている。そして、この取付板２２４には、リング部２２２Ａとリング部２２２Ｂの境界部分が挿入される切欠部２２５が形成されている。
【００７１】
したがって、リング部２２２Ａとリング部２２２Ｂの境界部分を切欠部２２５に挿入させつつ、取付板２２４をリング部２２２Ａとリング部２２２Ｂとの間に相対的に挿入させると、その盛上部２２６が、リング部２２２Ｂに嵌合し、これによって、圧縮コイルバネ２２２が、引出部材１４０の底部１４３の上面に簡単に固定されるようになっている。なお、盛上部２２６を取付板２２４の辺縁部寄りに形成して、取付板２２４に切欠部２２５を形成しない構成にしてもよい。
【００７２】
また、この引出部材１４０は、ハンドル１５０のロック方向への回転に伴って、第１筐体１１に対して位置決めされるようになっている。すなわち、図５で示すように、引出部材１４０の後壁部１４５側には、ハンドル１５０の回転に連動して作動するリンク機構１６０が設けられている。このリンク機構１６０は、第１ロッド部１６２と、第１ロッド部１６２よりも長い第２ロッド部１６４と、を有している。
【００７３】
第１ロッド部１６２及び第２ロッド部１６４は、共に細長い平板状に形成されており、引出部材１４０の左右幅方向中央部側の一端部１６２Ａ、１６４Ａが、上方に向かって略９０度屈曲形成されるとともに、ハンドル１５０の回転軸１８０の後端部に中心部が固定された略楕円形状のカム板１７０の周縁部に、互いに１８０度反対側に位置するように回転可能に取り付けられている。
【００７４】
そして、第１ロッド部１６２及び第２ロッド部１６４の左右幅方向両端部側の他端部１６２Ｂ、１６４Ｂは、それぞれ引出部材１４０の両端部１４２側に設けられた略楕円形状のカム板１７２、１７４の周縁部に回転可能に取り付けられている。なお、各カム板１７２、１７４は、その中心部に回転軸１６６、１６８が固定されており、各回転軸１６６、１６８は、それぞれ上側が開放された側断面視略「Ｕ」字状の支持部材１７６、１７８によって回転可能に支持されている。
【００７５】
また、各カム板１７２、１７４において、第１ロッド部１６２及び第２ロッド部１６４の各他端部１６２Ｂ、１６４Ｂが固定された部位とは１８０度反対側の位置には、それぞれ取付部材１８２、１８４の一端部が固定されており、各取付部材１８２、１８４は、各支持部材１７６、１７８に左右幅方向に形成された長孔部１７６Ａ、１７８Ａを貫通するように配置されている。そして、各取付部材１８２、１８４の他端部は、略矩形平板状のストッパー部材１８６、１８８の長手方向一端部に固定されている。
【００７６】
各ストッパー部材１８６、１８８は、それぞれの長手方向を横方向（左右方向）として配置されたときには、各支持部材１７６、１７８から上方へ向かって突出せず、それぞれの長手方向を縦方向（上下方向）として配置されたときには、各支持部材１７６、１７８から上方へ向かって突出するような形状に形成されており、ハンドル１５０がロック解除方向へ回転している状態のときには、図５（Ａ）で示すように、それぞれの長手方向が横方向となるように、各取付部材１８２、１８４に固定されている。
【００７７】
したがって、ハンドル１５０をロック方向へ回転させると、図５（Ｂ）で示すように、カム板１７０が図示の反時計方向へ回転し、第１ロッド部１６２及び第２ロッド部１６４が、それぞれ引出部材１４０の左右幅方向中央部側（回転軸１８０側）へ引っ張られる。すると、引出部材１４０の両端部１４２側の各カム板１７２、１７４が図示の反時計方向へ回転し、各ストッパー部材１８６、１８８が支持部材１７６、１７８から上方へ向かって突出する。
【００７８】
ここで、引出部材１４０は、図示しない圧縮コイルバネ等の付勢手段によって、前方側へ向かう方向である引出方向へ常時付勢されている。したがって、各ストッパー部材１８６、１８８は、ハンドル１５０がロック方向へ回転されると、第１筐体１１の後壁部側に設けられた係止部材１９６、１９８（図８参照）に、その後壁部側から係止され、引出部材１４０の第１筐体１１に対する前後方向（奥行き方向）の位置が位置決めされる。
【００７９】
なお、引出部材１４０の第１筐体１１に対する左右方向（幅方向）の位置は、図３で示すように、引出部材１４０の前壁部１４４の一方の端部１４２Ａ側に、引出部材１４０の底部１４３（図８参照）の下面から下方へ突出するように取り付けられた位置決め部材１９０によって位置決めされるようになっている。
【００８０】
すなわち、この位置決め部材１９０の下端部には、前後方向を軸方向とするシャフト１９２が取り付けられており、そのシャフト１９２が、第１筐体１１の角パイプ状フレーム１４６の前壁部１４６Ａに設けられた凹部（図示省略）に前後方向から挿入されて嵌合することで、その引出部材１４０の左右方向（幅方向）の位置が位置決めされるようになっている。
【００８１】
以上により、引出部材１４０が、第１筐体１１に対して位置決め固定される。そして、引出部材１４０を第１筐体１１内から引き出すときには、ハンドル１５０をロック解除方向へ回転させ、各ストッパー部材１８６、１８８を支持部材１７６、１７８内に収容し、係止部材１９６、１９８との係止を解除する。これにより、引出部材１４０が第１筐体１１内から前方側へ引出可能となる。
【００８２】
また、この引出部材１４０は、第１筐体１１内から完全に取り外せるようになっている。すなわち、ハンドル１５０をロック解除方向へ回転させ、そのまま把持して引出部材１４０を引き出すと、レール１４８に設けられたストッパー（図示省略）に、引出部材１４０の両端部１４２に形成された係合部（図示省略）が係合して、一旦はそれ以上の引出動作が不能となる。しかし、そのストッパーを解除する（退避させる）ことで、引出部材１４０を第１筐体１１内から完全に取り外すことが可能になっている。
【００８３】
また、この引出部材１４０は、画像形成装置１０の物流時（輸送時等）には、第１筐体１１のフレーム１４６に固定されるようになっている。すなわち、画像形成装置１０の物流時には、図４で示すように、引出部材１４０の前壁部１４４の一方の端部１４２Ａ側と第１筐体１１のフレーム１４６との間に跨るように固定部材１９４が取り付けられ、引出部材１４０の前壁部１４４の他方の端部１４２Ｂ側（引出部材１４０の引出方向と交差する方向である左右幅方向中央部を境に位置決め部材１９０とは反対側）と第１筐体１１のフレーム１４６との間に跨るように固定部材２００が取り付けられている。
【００８４】
引出部材１４０の前壁部１４４の一方の端部１４２Ａ側に取り付けられる固定部材１９４は、平面視「コ」字状に形成され、その上端部が前壁部１４４に取付ネジ１９９によって取り付けられ、その下端部がフレーム１４６の前壁部１４６Ａに取付ネジ１９９によって取り付けられている。なお、この固定部材１９４は、画像形成装置１０の設置時には取り外されて、別の画像形成装置１０の物流時に再利用される。
【００８５】
引出部材１４０の前壁部１４４の他方の端部１４２Ｂ側に取り付けられる固定部材２００は、図３、図４、図６で示すように、平面視「コ」字状に形成された本体部２０２と、その本体部２０２の側壁２０４の上部側に一体に形成され、本体部２０２の開放方向へ延在する突出部２０６と、その突出部２０６に一体に形成され、本体部２０２の外側方向へ延在する鍔部２０８と、を有している。そして、本体部２０２の上部側及び下部側に、取付ネジ１９９を挿通させるネジ孔２０２Ａが形成されるとともに、鍔部２０８の略中央にも、取付ネジ１９９を挿通させるネジ孔２０８Ａが形成されている。
【００８６】
したがって、画像形成装置１０の物流時には、図４、図６（Ａ）で示すように、固定部材２００の本体部２０２が、引出部材１４０の前壁部１４４と、その前壁部１４４の直下に配置された第１筐体１１のフレーム１４６の前壁部１４６Ａとに跨るように配置され、ネジ孔２０２Ａを介して、各前壁部１４４、１４６Ａに取付ネジ１９９によって取り付けられる。
【００８７】
一方、画像形成装置１０の設置時には、図３、図６（Ｂ）で示すように、固定部材２００は、本体部２０２が表裏反転され、その鍔部２０８が引出部材１４０の前壁部１４４に取付ネジ１９９によって取り付けられ、その本体部２０２の下部が、引出部材１４０の底部１４３の下面から下方へ突出するようになっている。なお、このとき、本体部２０２の側壁２０４の下部と第１筐体１１のフレーム１４６の前壁部１４６Ａとの間には、突出部２０６により、間隙Ｓが形成される。
【００８８】
以上のような構成の引出部材１４０において、次にその固定部材２００の作用について説明する。画像形成装置１０の物流時には、上記したように、固定部材１９４、２００によって、引出部材１４０が第１筐体１１のフレーム１４６に固定される。このとき、ハンドル１５０はロック解除方向に回転されているので、引出部材１４０は、図示しない付勢手段によって前方側（引出方向側）へ移動した状態になっている。
【００８９】
つまり、引出部材１４０の前壁部１４４と第１筐体１１のフレーム１４６の前壁部１４６Ａとが、図６（Ａ）で示すように、側面視で同位置（面一）に配置されるようになるため、直線状の固定部材１９４と、固定部材２００の直線状とされた本体部２０２とによる固定が可能となる。
【００９０】
一方、画像形成装置１０の設置時には、上記したように、固定部材１９４が取り外されるとともに、固定部材２００の本体部２０２が表裏反転されて、その鍔部２０８が引出部材１４０の前壁部１４４に取付ネジ１９９によって取り付けられる。ここで、画像形成装置１０の設置時には、ハンドル１５０がロック方向へ回転され、引出部材１４０が第１筐体１１に対して位置決めされる。
【００９１】
つまり、リンク機構１６０によって、各ストッパー部材１８６、１８８が上方に向けて突出し、引出部材１４０を前方側へ向けて付勢している図示しない付勢手段の付勢力に抗して、第１筐体１１に設けられている係止部材１９６、１９８に、そのストッパー部材１８６、１８８が第１筐体１１の後壁部側から係止される。
【００９２】
したがって、引出部材１４０の前壁部１４４は、第１筐体１１のフレーム１４６の前壁部１４６Ａに対して、物流時に比べて若干後方側へ移動するが、このとき、固定部材２００の本体部２０２（側壁２０４）が、第１筐体１１のフレーム１４６の前壁部１４６Ａと干渉することはない。
【００９３】
すなわち、図６（Ｂ）で示すように、本体部２０２が表裏反転されて、鍔部２０８が引出部材１４０の前壁部１４４に取り付けられた固定部材２００は、突出部２０６により、その側壁２０４の下部が、それと対向するフレーム１４６の前壁部１４６Ａから離隔している。つまり、本体部２０２における側壁２０４の下部とフレーム１４６の前壁部１４６Ａとの間には、間隙Ｓが形成されている。したがって、固定部材２００が、引出部材１４０の位置決め時の移動を妨げることがない。
【００９４】
また、上記したように、この引出部材１４０は、第１筐体１１から完全に取り外すことが可能となっている。したがって、図７で示すように、メンテナンス時等においては、第１筐体１１から取り外された引出部材１４０を床面２３０等に置くことがあるが、このとき、引出部材１４０の前壁部１４４の一方の端部１４２Ａ側に取り付けられた位置決め部材１９０と、他方の端部１４２Ｂ側に取り付けられた固定部材２００とで、その引出部材１４０を支持することが可能となっている。
【００９５】
すなわち、位置決め部材１９０と固定部材２００は、引出部材１４０の左右幅方向中央部を境に互いに反対側に設けられ、共に引出部材１４０の底部１４３の下面から下方へ突出するようになっている。そのため、引出部材１４０を床面２３０等に置いたときには、その位置決め部材１９０と固定部材２００とに、搬送部１２０を収容した引出部材１４０の荷重Ｆを良好に分散させられる。
【００９６】
つまり、このような固定部材２００を、引出部材１４０が第１筐体１１から取り外されたときの脚部として利用（兼用）することにより、位置決め部材１９０に対する荷重Ｆの集中が防止され、位置決め部材１９０の損傷が防止される。なお、引出部材１４０の底部１４３の下面を基準として、下方へ突出する位置決め部材１９０の突出長さ（高さ）と固定部材２００の突出長さ（高さ）とは略同一とすることが、上記荷重Ｆを更に良好に分散させる上で望ましい。
【００９７】
その他、この引出部材１４０の前部側には、ハンドル１５０の回転方向が示されたカバー部材２２８（図８参照）が設けられるようになっている。また、そのハンドル１５０は、次のように構成されている。すなわち、このハンドル１５０は、図１３、図１４で示すように、回転軸１８０に固定される金属製の本体部１５２と、その本体部１５２の後壁面側を被覆する樹脂製のリアカバー体１５４と、その本体部１５２の前壁面側を被覆する樹脂製のフロントカバー体１５６と、で構成されている。
【００９８】
本体部１５２は、側面視略「Ｌ」字状に形成されており、リアカバー体１５４も側面視略「Ｌ」字状に形成されている。詳細には、本体部１５２の後方へ向けて延在している取付部１５２Ａは四角筒状に形成されており、リアカバー体１５４の後方へ向けて延在している被覆部１５４Ａも四角筒状に形成されている。この被覆部１５４Ａは、取付部１５２Ａよりもその長さが短く形成されており、その内形寸法は、取付部１５２Ａの外形寸法と同じか、それよりも若干大きくされている。
【００９９】
また、フロントカバー体１５６と、リアカバー体１５４の上方（回転軸１８０と略直交する方向）へ向けて延在する被覆部１５４Ｂは、側面視で前壁面側が若干膨らむような湾曲形状に形成されており、本体部１５２の上方（回転軸１８０と略直交する方向）へ向けて延在する把持部本体１５２Ｂを、それぞれ前後方向から被覆するようになっている。このフロントカバー体１５６と被覆部１５４Ｂにより、意匠性を有するハンドル１５０の把持部１５０Ａ（図１４参照）が構成されるようになっている。
【０１００】
ハンドル１５０を組み立てるときには、まず、フロントカバー体１５６を本体部１５２の把持部本体１５２Ｂの前壁面に、取付ネジ１５９によって取り付ける。すなわち、フロントカバー体１５６の裏面（内面）には、各取付ネジ１５９が螺合可能なボス部（図示省略）が後方へ向かって複数（図示のものは５個）突設されており、フロントカバー体１５６は、把持部本体１５２Ｂの裏面側（後壁面側）から、その取付ネジ１５９がボス部に螺合されることで、本体部１５２の把持部本体１５２Ｂに固定される。
【０１０１】
フロントカバー体１５６が、本体部１５２の把持部本体１５２Ｂに固定されたら、本体部１５２の取付部１５２Ａが、リアカバー体１５４の被覆部１５４Ａに形成されている貫通孔１５４Ｃに挿通される。そして、そのリアカバー体１５４の被覆部１５４Ｂが、本体部１５２の把持部本体１５２Ｂの後壁面に、取付ネジ１５９及びボス部によって取り付けられる。これにより、リアカバー体１５４が本体部１５２に固定される。
【０１０２】
こうして、フロントカバー体１５６及びリアカバー体１５４が本体部１５２に取り付けられてハンドル１５０が構成されたら、図１４で示すように、そのリアカバー体１５４の被覆部１５４Ａから後方へ向かって突出している本体部１５２の取付部１５２Ａを、固定ネジ１５８によって回転軸１８０の前端部に固定する。これにより、ハンドル１５０が回転軸１８０を介して引出部材１４０に取り付けられる。
【０１０３】
以上、本実施形態に係る画像形成装置１０について説明したが、本実施形態に係る画像形成装置１０は、図示の実施例に限定されるものではない。しかし、リンク機構１６０は、上記実施例で示したように、ハンドル１５０のロック方向への回転に伴って、第１ロッド部１６２及び第２ロッド部１６４が共に左右幅方向中央部側に引っ張られる構成とすることが望ましい。
【０１０４】
これによれば、第１ロッド部１６２や第２ロッド部１６４が、ハンドル１５０のロック方向への回転に伴って、左右幅方向端部側へ押圧されるリンク機構（図示省略）とされている場合に比べて、第１ロッド部１６２及び第２ロッド部１６４の座屈（変形）を防止することができる。
【符号の説明】
【０１０５】
１０  画像形成装置
１１  第１筐体（装置本体の一例）
１２  第１処理部
１３  第２筐体
１４  第２処理部
１５  第３筐体
１６  制御部
２０  給紙部
３０  画像形成部
５０  定着部
６０  冷却部
８０  反転部
１００  転写部
１２０  搬送部（搬送手段の一例）
１４０  引出部材
１４４  前壁部（壁部の一例）
１４６  フレーム
１４６Ａ  前壁部（壁部の一例）
１５０  ハンドル
１６０  リンク機構
１９０  位置決め部材
２００  固定部材
２０２  本体部
２０４  側壁
２０６  突出部
２０８  鍔部
２１０  カム機構
Ｐ  記録用紙（記録媒体の一例）
【図１】
0005402544.tif 000002
【図２】
0005402544.tif 000003
【図３】
0005402544.tif 000004
【図４】
0005402544.tif 000005
【図５】
0005402544.tif 000006
【図６】
0005402544.tif 000007
【図７】
0005402544.tif 000008
【図８】
0005402544.tif 000009
【図９】
0005402544.tif 000010
【図１０】
0005402544.tif 000011
【図１１】
0005402544.tif 000012
【図１２】
0005402544.tif 000013
【図１３】
0005402544.tif 000014
【図１４】
0005402544.tif 000015